(57)【要約】【課題】蓋体の固定し忘れによる荷物の脱落防止を図ることが可能なハンドル付ケースを提供する。【解決手段】本発明のケース１０では、持ち上げられる際に、ハンドル６０が把持されて回動すると、それに伴ってハンドル側係合部６４と蓋側係合部４９とが係合し、蓋体２３が第１ケース部２１に固定され、それら第１ケース部２１と蓋体２３との間の第２ケース部２２も固定される。これにより、第１又は第２のバックル１５，１６による第２ケース部２２及び蓋体２３の固定し忘れに起因した荷物の脱落防止を図ることができる。【選択図】図１７
2019123549.tif 000002
【特許請求の範囲】
【請求項１】
第１ケース部と、
前記第１ケース部にヒンジ連結され、前記第１ケース部の荷物収容口を開閉する第２ケース部と、
前記第２ケース部に対して前記第１ケース部の反対側から重なり、前記第１ケース部又は前記第２ケース部にヒンジ連結されて、前記第２ケース部の荷物収容口を開閉する蓋体と、
前記第１ケース部のうち前記第２ケース部とのヒンジ連結部分の反対側に設けられたハンドル支持部に回動可能に支持されるハンドルと、
前記蓋体から前記ハンドル支持部側に突出する蓋側係合部と、
前記ハンドルに設けられ、前記ハンドルが前記第１ケース部の前記荷物収容口から離れる側に倒れた不使用姿勢から起こされる過程で前記蓋側係合部に係合して前記蓋体の回動を規制するハンドル側係合部と、を備えるハンドル付きケース。
【請求項２】
前記ハンドルと別個に設けられた第１操作部の操作により、前記第２ケース部を前記第１ケース部に対する閉位置に固定する第１固定機構と、
前記ハンドル及び前記第１操作部と別個に設けられた第２操作部の操作により、前記蓋体を前記第２ケース部に対する閉位置に固定する第２固定機構と、を備える請求項１に記載のハンドル付きケース。
【請求項３】
前記ハンドルは、その回動中心軸に沿った円筒状又は円柱状の回動軸部を有し、
前記ハンドル支持部は、前記回動軸部を包囲して回動可能に支持すると共に、前記蓋体側に開口する受容口を有し、
前記蓋体は、前記受容口を塞ぐ閉塞部を有し、
前記蓋側係合部は、前記閉塞部から突出して前記ハンドル支持部内に受容され、
前記ハンドル側係合部は、前記回動軸部に備えられている請求項１又は２に記載のハンドル付きケース。
【請求項４】
前記蓋側係合部と前記ハンドル側係合部との間には、前記第２ケース部又は前記蓋体が閉位置から浮いた半閉位置であっても前記蓋側係合部と前記ハンドル側係合部との係合を可能にするクリアランスが設けられている請求項１乃至３の何れか１の請求項に記載のハンドル付きケース。
【発明の詳細な説明】
【技術分野】
【０００１】
本発明は、ハンドルが回動可能に取り付けられたハンドル付きケースに関する。
【背景技術】
【０００２】
従来、この種のハンドル付きケースとして、第１ケース部と第２ケース部と蓋体とをヒンジ連結してなり、第１ケース部の荷物収容口が第２ケース部にて閉じられ、第２ケース部の荷物収容口が蓋体にて閉じられるものが知られている。また、このハンドル付きケースのヒンジ連結部分の反対側の外側面には、蓋体及び第２ケース部を閉位置に固定するバックルとハンドルとが備えられている（例えば、特許文献１参照）。
【先行技術文献】
【特許文献】
【０００３】
【特許文献１】特開平１１−１０００５６号公報（図１参照）
【発明の概要】
【発明が解決しようとする課題】
【０００４】
ところで、上記した従来のハンドル付きケースでは、例えば、荷物の出入後に蓋体は閉じてもバックルを締め忘れることがあり、ハンドルを把持して持ち上げられたときに蓋体が開いて荷物が脱落する事態が起こり得た。
【０００５】
本発明は、上記事情に鑑みてなされたもので、蓋体の固定し忘れによる荷物の脱落防止を図ることが可能なハンドル付きケースの提供を目的とする。
【課題を解決するための手段】
【０００６】
上記目的を達成するためになされた請求項１の発明は、第１ケース部と、前記第１ケース部にヒンジ連結され、前記第１ケース部の荷物収容口を開閉する第２ケース部と、前記第２ケース部に対して前記第１ケース部の反対側から重なり、前記第１ケース部又は前記第２ケース部にヒンジ連結されて、前記第２ケース部の荷物収容口を開閉する蓋体と、前記第１ケース部のうち前記第２ケース部とのヒンジ連結部分の反対側に設けられたハンドル支持部に回動可能に支持されるハンドルと、前記蓋体から前記ハンドル支持部側に突出する蓋側係合部と、前記ハンドルに設けられ、前記ハンドルが前記第１ケース部の前記荷物収容口から離れる側に倒れた不使用姿勢から起こされる過程で前記蓋側係合部に係合して前記蓋体の回動を規制するハンドル側係合部と、を備えるハンドル付きケースである。
【０００７】
請求項２の発明は、前記ハンドルと別個に設けられた第１操作部の操作により、前記第２ケース部を前記第１ケース部に対する閉位置に固定する第１固定機構と、前記ハンドル及び前記第１操作部と別個に設けられた第２操作部の操作により、前記蓋体を前記第２ケース部に対する閉位置に固定する第２固定機構と、を備える請求項１に記載のハンドル付きケースである。
【０００８】
請求項３の発明は、前記ハンドルは、その回動中心軸に沿った円筒状又は円柱状の回動軸部を有し、前記ハンドル支持部は、前記回動軸部を包囲して回動可能に支持すると共に、前記蓋体側に開口する受容口を有し、前記蓋体は、前記受容口を塞ぐ閉塞部を有し、前記蓋側係合部は、前記閉塞部から突出して前記ハンドル支持部内に受容され、前記ハンドル側係合部は、前記回動軸部に備えられている請求項１又は２に記載のハンドル付きケースである。
【０００９】
請求項４の発明は、前記蓋側係合部と前記ハンドル側係合部との間には、前記第２ケース部又は前記蓋体が閉位置から浮いた半閉位置であっても前記蓋側係合部と前記ハンドル側係合部との係合を可能にするクリアランスが設けられている請求項１乃至３の何れか１の請求項に記載のハンドル付きケースである。
【発明の効果】
【００１０】
請求項１のハンドル付きケースでは、持ち上げられる際に、ハンドルが把持されて回動すると、それに伴ってハンドル側係合部と蓋側係合部とが係合し、蓋体が第１ケース部に固定され、それら第１ケース部と蓋体との間の第２ケース部も固定される。これにより、第２ケース部及び蓋体の固定し忘れに起因した荷物の脱落防止を図ることができる。つまり、本発明のハンドル付きケースによれば、第１ケース部と蓋体とを閉じさえすれば、ハンドルを把持して持ち上げられたときに、第１ケース部と蓋体とが閉位置に自動的に固定され、荷物の脱落防止を図ることができる。
【００１１】
なお、ハンドル側係合部と蓋側係合部との係合以外に第１ケース部と蓋体とを閉位置に固定する固定機構を備えてもよいし、備えていなくてもよい。具体的には、請求項２の発明のように、第２ケース部用と蓋体用に第１と第２の固定機構を備えて、第２ケース部と蓋体とを別々に閉位置に固定できるようにしてもよいし、また、第２ケース部用又は蓋体用の何れか一方用の固定機構のみを備えてもよい。なお、固定機構を備えることで、第２ケース部又は蓋体の閉位置での固定強度を高めることができる。
【００１２】
請求項３のハンドル付きケースでは、ハンドルの回動軸部がハンドル支持部に包囲され、その回動軸部にハンドル側係合部が備えられて蓋側係合部と係合するので、ハンドル側係合部及び蓋側係合部を、他の部材との衝突から保護することができる。また、ハンドル側係合部及び蓋側係合部の煩雑な係合構造を隠して美観を高めることができると共に、ハンドル支持部のうち蓋側係合部を受容する受容口が、蓋体に備えられた閉塞部によって閉塞されるので、この点においても美観を高めることができる。
【００１３】
第２ケース部及び蓋体が、閉位置から浮いた半閉位置に位置していると、閉位置に位置しているものと見間違えることが考えられるが、請求項４のハンドル付きケースでは、第２ケース部又は蓋体が半閉位置であっても、ハンドルが不使用姿勢から起こされる過程で蓋側係合部とハンドル側係合部とが係合するので、荷物の脱落を確実に防止することができる。
【図面の簡単な説明】
【００１４】
【図１】本発明の一実施形態に係るハンドル付きケースの上面側の斜視図
【図２】ハンドル付きケースのヒンジ部側の斜視図
【図３】ハンドル付きケースの下面側の斜視図
【図４】使用姿勢のハンドル付きケースの斜視図
【図５】第１ケース部の荷物収容口を開いた状態の斜視図
【図６】第１ケース部のハンドル周辺部分を拡大した斜視図
【図７】第２ケース部の荷物収容口を開いた状態の斜視図
【図８】第１及び第２のケース部のハンドル周辺部分を拡大した斜視図
【図９】第２ケース部及び蓋体の先端部の下面の斜視図
【図１０】蓋体の先端部の下面の斜視図
【図１１】第２ケース部と蓋体の斜視図
【図１２】第１ケース部とハンドルの斜視図
【図１３】ハンドルの斜視図
【図１４】第１ケース部とハンドルの斜視図
【図１５】ハンドル付きケースの一部破断の斜視図
【図１６】ハンドルが不使用姿勢となったハンドル付きケースの一部破断の斜視図
【図１７】ハンドルが使用姿勢になったハンドル付きケースの一部破断の斜視図
【図１８】第２バックルが締められた状態の一部破断の斜視図
【発明を実施するための形態】
【００１５】
以下、本発明の一実施形態を図１〜図１８に基づいて説明する。図１に示すように、本実施形態のハンドル付きケース１０（以下、単に「ケース１０」という）は、第１ケース部２１と第２ケース部２２と蓋体２３とを重ね合わせてなり、全体が、第１及び第２のケース部２１，２２等の重ね合わせ方向で偏平な略直方体状をなしている。また、その偏平の略直方体の第１と第２の主平面１１Ａ，１１Ｂは略長方形をなし、一方の長辺側の側面である第１長側面１２Ａには、図２に示すように、第１ケース部２１と第２ケース部２２と蓋体２３とを回動可能に連結するヒンジ部１４が備えられている。さらには、図１に示すように、第１長側面１２Ａの反対側の第２長側面１２Ｂには、第１ケース部２１と第２ケース部２２とを固定する第１バックル１５（本発明の「第１操作部」に相当する）が備えられ、第１主平面１１Ａには、第２ケース部２２と蓋体２３とを固定する第２バックル１６（本発明の「第２操作部」に相当する）が備えられている。そして、図１に示すように、第１主平面１１Ａを上に向けかつ第２主平面１１Ｂを下に向けた横倒姿勢で第１バックル１５を外せば、図５に示すように第１ケース部２１に対して第２ケース部２２を開くことができる。また、第２バックル１６を外せば、図７に示すように第２ケース部２２に対して蓋体２３を開くことができる。
【００１６】
また、図２に示すように、第１長側面１２Ａには、台座突部１９が備えられる一方、図１に示すように、第２長側面１２Ｂには、ハンドル６０が備えられている。そして、図４に示すように、ケース１０は、第２長側面１２Ｂを上に向けかつ第１長側面１２Ａを下に向けた使用姿勢にして床面等の上に載置したり、ハンドル６０を片手持ちして持ち運ぶことができる。また、図１に示すように、１対の短側面１３，１３には、第１長側面１２Ａ寄り位置にそれぞれ手掛凹部１８が備えられ、ケース１０を横倒姿勢（図１参照）にしたまま手掛凹部１８，１８に両手を掛けて運ぶこともできる。
【００１７】
ケース１０の各構成部の具体的な構造は、以下の通りである。なお、以下の説明において、短側面１３，１３の対向方向を「横方向」といい、第１及び第２の長側面１２Ａ，１２Ｂの対向方向を「縦方向」という。また、特記しない限り、ケース１０の横倒姿勢における「上」及び「下」を、単に「上」及び「下」ということとする。なお、ケース１０の構成部品は、後述する金属製の連結ピン以外は、全て例えば樹脂の射出成形品である。
【００１８】
図３に示すように、第１ケース部２１は、ケース１０全体の厚さ（上下方向）の半分以上を占める偏平の略直方体状をなし、前記第２主平面１１Ｂを下面として備えている。その第２主平面１１Ｂのうち枠形の外縁領域１１Ｃの内側は、複数の横溝を備える溝付装飾部１１Ｄになっている。また、溝付装飾部１１Ｄと外縁領域１１Ｃとの境界線のうち第２長側面１２Ｂ側の一辺を除く３辺の境界線に沿って突条１１Ｔが形成されている。また、外縁領域１１Ｃにおける１対の短辺部分の略中央には、指掛凹部１１Ｓ，１１Ｓが形成されている。そして、ケース１０を横倒姿勢にして持ち運ぶ際に、その下面に両手を回して指掛凹部１１Ｓ，１１Ｓに指先を掛けることができる。
【００１９】
図５に示すように、第１ケース部２１の上面は、全体が荷物収容口２１Ｋとして開口している。また、荷物収容口２１Ｋの開口縁の略全体から外側に補強突条２１Ｌが突出している。さらには、図６に示すように、補強突条２１Ｌによって幅広になった第１ケース部２１の上面の内縁部分から凸壁２１Ｔが起立している。
【００２０】
図２に示すように、第１ケース部２１の第１長側面１２Ａには、その横方向の中央にヒンジ突部２４Ａが形成され、その両側に前述の台座突部１９が設けられている。ヒンジ突部２４Ａは、補強突条２１Ｌの外面に沿って横方向に延びる円筒の両端部の上側半分を除去してなる。また、台座突部１９は、第１ケース部２１の第１長側面１２Ａの上下方向に延びた筐体構造をなし、その上端部がヒンジ突部２４Ａと同一形状をなして補強突条２１Ｌの外面に位置している。
【００２１】
図５に示すように、第１ケース部２１は、全体に対して第２長側面１２Ｂを有する壁部が僅かに高くなっている。また、第１ケース部２１の第２長側面１２Ｂのうち横方向の一端寄り位置から他端寄り位置に亘る範囲は、段付き状に陥没した中央凹部２５をなし、その中央凹部２５の横方向の両端部に後に詳説する１対のハンドル支持部５０，５０が備えられてハンドル６０が回動可能に支持されている。また、図６に示すように、ハンドル支持部５０，５０の間には、前述の補強突条２１Ｌが延び、その補強突条２１Ｌと一方のハンドル支持部５０との間のコーナー部にコーナー突片８９が設けられて、そこに貫通孔８９Ａが形成されている。
【００２２】
第１ケース部２１の第２長側面１２Ｂの横方向の両端部には、その上下方向の全体を外側に膨出させてコーナー膨出部２６，２６が形成されている。また、コーナー膨出部２６から中央凹部２５側にベルト取付部２７が突出し、それらベルト取付部２７に形成された貫通孔２７Ａに、図示しない肩掛け用のベルトの両端部のフックが係合可能になっている。
【００２３】
左右のベルト取付部２７とハンドル支持部５０との間には、それぞれバックル支持突部２８が備えられてそこに第１バックル１５が取り付けられている。また、第１と第２のバックル１５，１６は、共に操作レバー３０と係合レバー３１とから構成されている。操作レバー３０の一端部には支持ピン３０Ｊ（図１８参照）が備えられ、第１バックル１５においては前述のバックル支持突部２８の両側面に開口する図示しない支持孔に操作レバー３０の支持ピン３０Ｊが回動可能に係合している。また、操作レバー３０のうち回動中心から離れた位置には、支持ピン３０Ｊと平行な支持ピン３１Ｊ（図１８参照）が貫通していて、その支持ピン３１Ｊの両端部に門形の係合レバー３１の１対の脚部が回動可能に連結されている。なお、バックル支持突部２８の上面には、支持孔の内面を成形するための型抜き孔２８Ａが開口している。
【００２４】
第１ケース部２１内の底面からは仕切壁８０が起立している。この仕切壁８０は、図示しない所定の工具の複数の部品を整理して収納するための形状をなしている。また、仕切壁８０の一部は、断面異形の筒形支柱部８１をなし、第１ケース部２１の縦横両方向の略中央に配置されている。そして、次述する第２ケース部２２の筒形支柱部８２と筒形支柱部８１とが当接して、ケース１０内の支柱を構成する。
【００２５】
図７に示すように、第２ケース部２２は、第１ケース部２１の上面に重なる枠形ベース部３２の内側に、前述の工具の複数の部品を効率良く収納するための凹凸形状をなした底壁３３を有する。枠形ベース部３２は、第１ケース部２１の補強突条２１Ｌと略同一幅で面一の外側面を有する。また、底壁３３の上面の外縁部から側壁３４が突出し、その側壁３４の上端部の内側が、第２ケース部２２の荷物収容口２２Ｋになっている。さらに、側壁３４のうち縦方向に延びる両辺には、ヒンジ部１４寄り位置を内側に屈曲させた内側屈曲部３４Ａ，３４Ａが設けられている。また、底壁３３の上面のうち側壁３４の内側部分から仕切壁８３が突出し、底壁３３の下面からは図５に示すように前述した筒形支柱部８２が突出している。
【００２６】
図２に示すように、第２ケース部２２の第１長側面１２Ａには、１対のヒンジ突部２４Ｂ，２４Ｂと１対の台座突部１９，１９とが設けられている。第２ケース部２２の台座突部１９は、第１ケース部２１の台座突部１９と略同一形状をなし、第２ケース部２２のヒンジ突部２４Ｂは、第１ケース部２１のヒンジ突部２４Ａの一端部を切除した形状をなしている。また、蓋体２３には、第２ケース部２２のヒンジ突部２４Ｂと略同形状のヒンジ突部２４Ｃを先端に備えた複数のヒンジアーム４１Ｂが備えられている。そして、これらヒンジ突部２４Ａ〜２４Ｃと台座突部１９の先端部とが第１ケース部２１の補強突条２１Ｌに沿って並び、金属製の連結ピンにて相互に回動可能に連結されて、前述のヒンジ部１４が構成されている。なお、蓋体２３には、第２ケース部２２の台座突部１９，１９が貫通する１対の矩形窓４１Ｃが形成されている。
【００２７】
図５に示すように、枠形ベース部３２のうちヒンジ部１４側を除く縦横の両辺には、枠形ベース部３２の下面に溝部３２Ｍ（詳細には、図９参照）が形成されている。そして、図１６に示すように、第２ケース部２２を第１ケース部２１の上に重ねたときに第１ケース部２１の凸壁２１Ｔが溝部３２Ｍに収まる。
【００２８】
図１１に示すように、第２ケース部２２の第２長側面１２Ｂ側の端部は、第１ケース部２１に対応して、全体より上方に位置している。また、第２ケース部２２の第２長側面１２Ｂの両端部には、第１ケース部２１の１対のコーナー膨出部２６，２６（図６参照）に重なる１対のコーナー突片３５，３５が備えられている。さらには、その第２長側面１２Ｂにおける両端部を除いた全体は、枠形ベース部３２と側壁３４とが面一になったベース面１２Ｃになっている。そして、そのベース面１２Ｃの横方向の両端部から横長の長方形の台座部３６，３６が段付き状に突出し、それら台座部３６，３６の間が第１ケース部２１の中央凹部２５（図６参照）に重なる。また、ベース面１２Ｃのうち台座部３６，３６の間の中央部からは指掛突壁３８が張り出している。
【００２９】
各台座部３６からは、第１ケース部２１のバックル支持突部２８（図６参照）に重なるバックル係止突部３７が突出し、その上面の先端縁から係止突条３７Ａが突出している。また、このバックル係止突部３７と前述の第１バックル１５とによって本発明の「第１の固定機構」が構成されている。そして、第１バックル１５の係合レバー３１を係止突条３７Ａに係止して第１バックル１５の操作レバー３０を押し倒すことで第１ケース部２１と第２ケース部２２とが重なった状態に固定される。
【００３０】
図８に示すように、指掛突壁３８は、第１ケース部２１のハンドル支持部５０，５０の間に位置し、その指掛突壁３８の一端部に形成された貫通孔３８Ａと第１ケース部２１のコーナー突片８９の貫通孔８９Ａ（図６参照）とが重なる。そして、それら貫通孔３８Ａ，８９Ａに南京錠等を通して施錠することができる。なお、図３に示すように、指掛突壁３８は、第１ケース部２１から突出した状態になるので、そこに指先を掛けることで、第１ケース部２１に対して第２ケース部２２を容易に開くことができる。
【００３１】
図１１に示すように、指掛突壁３８の上面における横方向の中央からは角柱状のバックル係止突部３９が突出している。バックル係止突部３９は、側壁３４の上端部と概ね同じ高さに位置し、そのバックル係止突部３９の上端縁からはヒンジ部１４から離れる側に向かって係止突条３９Ａが突出している。また、側壁３４には、ベース面１２Ｃ側における横方向の中央部分が除去されて中央開口３４Ｂが形成され、その中央開口３４Ｂの中央にバックル係止突部３９が位置している。そして、中央開口３４Ｂの両端部に仕切壁８３が接続されて中央開口３４Ｂと上面とが開口した凹部８４が形成されている。
【００３２】
図１１に示すように、蓋体２３は、前述の第１主平面１１Ａを上面に有する天井壁４０の外縁部から側壁４１が下方に突出した下面開放の扁平な略直方体状をなしている。そして、図１８に示すように、側壁４１が第２ケース部２２の側壁３４の外側に嵌合し、その側壁４１の下端部が第２ケース部２２の枠形ベース部３２の上面に当接し、さらに、第２ケース部２２の側壁３４及び仕切壁８３の上端部が、天井壁４０の下面に当接した状態になって、天井壁４０にて第２ケース部２２の荷物収容口２２Ｋを閉塞する。
【００３３】
図２に示すように、第１主平面１１Ａのうちヒンジ部１４側とその両側の３辺の外縁領域１１Ｅの内側は、前述の第２主平面１１Ｂの溝付装飾部１１Ｄと同様の溝付装飾部１１Ｆをなし、外縁領域１１Ｅの両側部には、前述の第２主平面１１Ｂの指掛凹部１１Ｓ，１１Ｓと同様の１対の指掛凹部１１Ｇ，１１Ｇが形成され、それらの間は、指掛凹部１１Ｇと面一の陥没面１１Ｈになっている。また、溝付装飾部１１Ｆと外縁領域１１Ｅとの境界線には溝部１１Ｍが形成されていて、複数のケース１０を横倒姿勢にして段積すると、上段側のケース１０の突条１１Ｔが下段側のケース１０の溝部１１Ｍに嵌合する。
【００３４】
図１１に示すように、蓋体２３の側壁４１には、第２ケース部２２の１対の内側屈曲部３４Ａ，３４Ａに対向する位置に１対の切欠４１Ａ，４１Ａが形成され、これら内側屈曲部３４Ａと切欠４１Ａとにより前述の手掛凹部１８が構成されている。
【００３５】
蓋体２３における第２長側面１２Ｂ側の下面は、第２ケース部２２に対応して、全体より上方に位置している。また、蓋体２３の第２長側面１２Ｂの両端部には、第２ケース部２２の１対のコーナー突片３５，３５に重なる１対のコーナー突部４２，４２が備えられ、第２長側面１２Ｂの中央寄り位置の２箇所には、１対の延長突部４３，４３が備えられている。
【００３６】
１対の延長突部４３，４３は、横幅が縦幅より広い箱形構造をなして、側壁４１から突出しかつ側壁４１の上端部から側壁４１より下方まで延びている。そして、図４に示すように、延長突部４３の下端部が第２ケース部２２の台座部３６と指掛突壁３８との間に丁度嵌合するようになっている。また、コーナー突部４２と延長突部４３との間の側壁４１は第２ケース部２２の台座部３６に上方から重なる。
【００３７】
図１１に示すように、延長突部４３の上端部からは、第２ケース部２２の中央開口３４Ｂの開口縁まで側面突部４４が延び、延長突部４３と側面突部４４とが合わさってＬ字形の蓋固定突部４５になっている。また、図９に示すように、第１ケース部２１に対して蓋体２３を閉じた状態で蓋固定突部４５は、第２ケース部２２の指掛突壁３８より外側に突出した状態になると共に、蓋固定突部４５の下面は、第２ケース部２２の指掛突壁３８の下面とが面一になる。
【００３８】
図１１に示すように、蓋体２３の天井壁４０のうち陥没面１１Ｈより第２長側面１２Ｂ側には、１対の側面突部４４，４４の間部分を段付き状に陥没させてバックル受容部４６が形成されている。バックル受容部４６の底壁４６Ａのうち縦方向の中間部からはバックル支持突部４７が突出し、そこに第２バックル１６の操作レバー３０が回動可能に支持されている。また、底壁４６Ａには、バックル支持突部４７より第２長側面１２Ｂ側に切欠部４６Ｂが形成されている。そして、図１８に示すように、第２ケース部２２に対して蓋体２３を閉じると、バックル受容部４６が第２ケース部２２の凹部８４内に嵌合し、図４に示すように、バックル係止突部３９が切欠部４６Ｂを通してバックル受容部４６内に突入する。この状態で、第２バックル１６の係合レバー３１をバックル係止突部３９の係止突条３９Ａに係止して操作レバー３０を押し倒すことで第２ケース部２２と蓋体２３とを固定することができる。なお、これら第２バックル１６とバックル係止突部３９とから本発明に係る「第２固定機構」が構成されている。
【００３９】
図１０に示すように、延長突部４３の下端部は、閉塞壁４８にて閉塞されていて、その閉塞壁４８から蓋側係合部４９が突出している。蓋側係合部４９は、突片の先端部に横長の係合孔４９Ａを備えた形状をなしている。また、蓋側係合部４９の外縁部には、補強リブ４９Ｌが形成されている。
【００４０】
以下、前述の第１ケース部２１のハンドル支持部５０，５０とハンドル６０とについて詳説する。図３に示すように、ハンドル支持部５０は、第１ケース部２１における第２長側面１２Ｂの上端部から下端部まで延びる外側突部５１と、第２長側面１２Ｂの上端部から上下方向の途中位置まで延びる内側突部５２とを横並びに備え、それらの上端部の間を連絡壁５３にて連絡してなる。
【００４１】
図６に示すように、外側突部５１は、第１ケース部２１の中央凹部２５の段差面を外側から覆うように張り出す壁部から直角曲げされて中央凹部２５から離れる側に起立する第１側面壁５１Ａと、第１側面壁５１Ａに対して間隔を開けて対向する第２側面壁５１Ｂと、第１側面壁５１Ａと第２側面壁５１Ｂの外縁部の間を連絡する正面壁５１Ｃとからなる。また、図１２に示すように、第２側面壁５１Ｂの上端縁は半円弧状に窪んでいる。
【００４２】
図６に示すように、内側突部５２は、中央凹部２５内から起立する側壁５２Ａと、側壁５２Ａの先端縁から外側突部５１に向かって直角曲げされ、外側突部５１の正面壁５１Ｃと面一に配置された正面壁５２Ｂとからなる。そして、外側突部５１の正面壁５１Ｃの上端部と内側突部５２の正面壁５２Ｂの上端部との間を連絡壁５３が連絡している。これにより、ハンドル支持部５０の上端部には、略四角形の本発明に係る受容口５０Ｋが形成されている。
【００４３】
図１２に示すように、内側突部５２の内部には、正面壁５２Ｂの内面の上端部と中央凹部２５とを間を連絡する内側突部５４が備えられている。また、内側突部５４は、図１５に示すように、中央凹部２５に接近するに従って下方に向かうように湾曲している。また、図１２に示すように、連絡壁５３の内面には、内側突部５４の一端部に連続して横方向に延びる補強リブ５３Ｌが備えられている。
【００４４】
図１３に示すように、ハンドル６０は、門形構造をなし、横方向の延びる断面異形の筒状をなした把持部６１と、把持部６１の両端部に直交する１対の脚部６２，６２とを有する。各脚部６２は、隙間を空けて対向した１対の突片６２Ａ，６２Ａの先端間に回動軸部６３を架け渡してなる。回動軸部６３は、円筒体の一部を切り欠いてなり、その両端部は、１対の突片６２Ａ，６２Ａからそれぞれ突出している。そして、ハンドル６０は、把持部６１から脚部６２，６２が上方に延びた姿勢にされ、外側突部５１，５１と内側突部５２，５２との間に下方から押し込まれてハンドル支持部５０，５０に組み付けられる。その際、ハンドル支持部５０，５０の第２側面壁５１Ｂ，５１Ｂにハンドル６０の回動軸部６３，６３が押し付けられて、回動軸部６３，６３同士が接近するように弾性変形する。そして、回動軸部６３，６３が第２側面壁５１Ｂ，５１Ｂより上方に移動したところで弾性復帰して、回動軸部６３，６３の一端部が第２側面壁５１Ｂ，５１Ｂの円弧状の上端部（図１２参照）に係合し、図１５に示すように回動軸部６３，６３の他端部が内側突部５２内の内側突部５４の湾曲面に宛われた状態になる。これにより、ハンドル６０がハンドル支持部５０，５０に回動可能に支持される。
【００４５】
図１２に示すように、ハンドル６０の回動軸部６３における切り欠き６３Ａは、回動軸部６３のうち把持部６１から最も離れた部分において外側突部５１側の端部から軸方向の中心部まで延び、そこから中央凹部２５から離れる側に屈曲して延びた略Ｌ字形状をなしている。そして、この切り欠き６３Ａにより、回動軸部６３における外側突部５１側の一部が突片状に切り離されてハンドル側係合部６４が形成されている。また、ハンドル側係合部６４は、先端に向かって幅狭になっている。
【００４６】
図１に示すように、ハンドル６０が第１ケース部２１の第２長側面１２Ｂに重なった不使用姿勢になると、図１４及び図１５に示すように、回動軸部６３の切り欠き６３Ａが受容口５０Ｋを通して上方を向いた状態になる。そして、図１６に示すように、第１ケース部２１に対して第２ケース部２２が閉じ、さらに、第２ケース部２２に対して蓋体２３が閉じると、ハンドル支持部５０の受容口５０Ｋの大部分が蓋体２３の閉塞壁４８によって閉塞されると共に、受容口５０Ｋのうち閉塞壁４８にて覆われていない部分が延長突部４３によって覆われる。この点において、本実施形態では、延長突部４３と閉塞壁４８とにより、本発明に係る「閉塞部」が構成されている。そして、閉塞壁４８から張り出す蓋側係合部４９が、回動軸部６３の切り欠き６３Ａに突入した状態になる。
【００４７】
そこから図１７に示すようにハンドル６０を回動すると、ハンドル６０の脚部６２がハンドル支持部５０の連絡壁５３に当接し（図１７には、脚部６２が連絡壁５３に当接する前の状態が示されている）、ハンドル６０が第２長側面１２Ｂから略直立した使用姿勢になる。そして、このハンドル６０が不使用姿勢から使用姿勢に移行する過程で、ハンドル側係合部６４が蓋側係合部４９の係合孔４９Ａに突入してハンドル側係合部６４と蓋側係合部４９とが係合する。詳細には、ハンドル側係合部６４が、蓋側係合部４９の係合孔４９Ａより先端側の係合バー４９Ｂよりハンドル支持部５０の受容口５０Ｋ側に位置する。これにより、蓋側係合部４９がハンドル支持部５０から抜けないようになる。また、ハンドル６０が使用姿勢になると、ハンドル６０の脚部６２がハンドル支持部５０の外側突部５１と内側突部５２との間に挟まれて安定し、前述のハンドル側係合部６４と蓋側係合部４９との係合も安定する。
【００４８】
また、図示しないが、第２ケース部２２及び蓋体２３が正規の閉位置に配置された状態では、ハンドル側係合部６４が係合孔４９Ａに突入する際に、ハンドル側係合部６４の内面と係合バー４９Ｂの上面との間には第１クリアランスが形成される。これにより、第２ケース部２２又は蓋体２３が正規の閉位置より僅かに浮いた状態（即ち、半開き状態）でも、ハンドル側係合部６４は係合孔４９Ａに突入して係合することができる。
【００４９】
また、図１７に示すように、第２ケース部２２及び蓋体２３が正規の閉位置に配置された状態では、ハンドル６０が第２長側面１２Ｂに対して使用姿勢になったときに、ハンドル側係合部６４の内面と係合バー４９Ｂの上面との間には第２クリアランスＣ１が形成される。これにより、第１又は第２のバックル１５，１６を締め忘れた状態でケース１０が持ち上げられたときに、第２ケース部２２又は蓋体２３が半開き状態になってバックル１５，１６の締め忘れを気づかせることができる。
【００５０】
なお、前記第１クリアランスのみを有し、第２クリアランスＣ１を有しないように構成して、第２ケース部２２又は蓋体２３の半開き状態のハンドル６０を使用姿勢まで回動させると、第２ケース部２２及び蓋体２３が完全に閉じるようにしてもよい。
【００５１】
本実施形態のケース１０の構成に関する説明は以上である。次に、このケース１０の作用効果について説明する。ケース１０の第１又は第２のケース部２１，２２に対して荷物を出し入れするには、図１に示すように、ケース１０を横倒姿勢にして第１又は第２のバックル１５，１６を外し、図５又は図７に示すように第２ケース部２２又は蓋体２３を開けばよい。
【００５２】
荷物の出し入れを終え、第２ケース部２２及び蓋体２３を閉じて第１及び第２のバックル１５，１６を締めれば、ハンドル６０を把持してケース１０を持ち運ぶことができる。ところが、第２ケース部２２及び蓋体２３を閉じ、第１及び第２のバックル１５，１６の両方又は何れか一方を締め忘れた状態でハンドル６０を把持してケース１０が持ち上げられることがある。しかしながら、本実施形態のケース１０では、持ち上げるためにハンドル６０が把持されて回動すると、図１７に示すようにハンドル６０のハンドル側係合部６４と蓋側係合部４９が係合し、蓋体２３が第１ケース部２１に固定され、それら第１ケース部２１と蓋体２３との間の第２ケース部２２も固定される。
【００５３】
これにより本実施形態のケース１０では、第１又は第２のバックル１５，１６による第２ケース部２２及び蓋体２３の固定し忘れに起因した荷物の脱落防止を図ることができる。また、ハンドル６０は、第２長側面１２Ｂから直立する位置より僅かに回動したところで連絡壁５３に当接して使用姿勢に保持されるので、図４に示すように、ケース１０を使用姿勢にして床面等に載置したときにハンドル６０も使用姿勢に保持され、第２ケース部２２及び蓋体２３が第１ケース部２１に固定された状態を保持することができる。
【００５４】
また、ハンドル側係合部６４及び蓋側係合部４９がハンドル支持部５０内に収容されて互いに係合するので、それらを他の部材との衝突から保護することができる。また、ハンドル側係合部６４及び蓋側係合部４９の煩雑な係合構造を隠して美観を高めることができる。さらにはハンドル支持部５０のうち蓋側係合部４９を受容する受容口５０Ｋが、蓋体２３に備えられた閉塞壁４８にて閉塞されるので、この点においても美観を高めることができる。
【００５５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００５６】
（１）前記実施形態のケース１０では、１対のハンドル支持部５０，５０の両方に蓋側係合部４９，４９が突入してハンドル側係合部６４，６４と係合する構成になっていたが、一方のハンドル支持部５０内でのみ蓋側係合部４９とハンドル側係合部６４とが係合する構成としてもよい。
【００５７】
（２）また、ハンドル６０の１対の脚部６２，６２の間に１つのハンドル支持部を備え、そのハンドル支持部に蓋側係合部が突入してハンドル側係合部と係合するようにしてもよい。
【００５８】
（３）さらには、前記実施形態のケース１０の第１及び第２のバックル１５，１６の一方又は両方を排除して、第１ケース部２１と蓋体２３との何れか一方又は両方が蓋側係合部４９とハンドル側係合部６４との係合のみで閉位置に固定されるようにしてもよい。その場合、例えば、ハンドル６０を第１ケース部２１に対して使用姿勢に保持する弾性係合部を第１ケース部２１とハンドル６０との間に設けてもよい。
【００５９】
（４）前記実施形態では、蓋側係合部４９の係合孔４９Ａにハンドル側係合部６４が突入して蓋側係合部４９とハンドル側係合部６４とが係合する構成になっていたが、ハンドル側係合部６４側に係合孔を設け、蓋側係合部４９に備えた突部にハンドル側係合部６４の係合孔が係合する構成としてもよい。
【００６０】
（５）前記実施形態では、ハンドル支持部５０の受容口５０Ｋを閉塞する本発明に係る「閉塞部」が延長突部４３と、その端部に備えた閉塞壁４８とで構成されていたが、閉塞壁４８を有しない延長突部４３のみで本発明に係る「閉塞部」を構成してもよい。その場合、例えば、延長突部４３の内側の上面又は側面から蓋側係合部４９が突出した構成とすればよい。また、例えば、本発明に係る「閉塞部」が、ハンドル支持部５０の受容口５０Ｋの外側又は内側に嵌合される構造になっていてもよい。
【符号の説明】
【００６１】
１０    ハンドル付きケース
１５    第１バックル（第１操作部、第１固定機構）
１６    第２バックル（第２操作部、第２固定機構）
２１    第１ケース部
２１Ｋ，２２Ｋ    荷物収容口
２２    第２ケース部
２３    蓋体
３７    バックル係止突部（第１固定機構）
３９    バックル係止突部（第２固定機構）
４５    蓋固定突部
４８    閉塞壁（閉塞部）
４９    蓋側係合部
５０    ハンドル支持部
５０Ｋ  受容口
６０    ハンドル
６３    回動軸部
６４    ハンドル側係合部
【図１】
2019123549.tif 000003
【図２】
2019123549.tif 000004
【図３】
2019123549.tif 000005
【図４】
2019123549.tif 000006
【図５】
2019123549.tif 000007
【図６】
2019123549.tif 000008
【図７】
2019123549.tif 000009
【図８】
2019123549.tif 000010
【図９】
2019123549.tif 000011
【図１０】
2019123549.tif 000012
【図１１】
2019123549.tif 000013
【図１２】
2019123549.tif 000014
【図１３】
2019123549.tif 000015
【図１４】
2019123549.tif 000016
【図１５】
2019123549.tif 000017
【図１６】
2019123549.tif 000018
【図１７】
2019123549.tif 000019
【図１８】
2019123549.tif 000020